(57)【要約】  本発明の無線通信システムは、無線通信端末と、基地局装置と、を備える。前記基地局装置は、前記無線通信端末に対し、前記基地局装置のセルに関するセル情報と当該セル情報を手動選択可能かどうかを示す選択可否情報とを送信する。前記無線通信端末は、前記基地局装置から、前記基地局装置の前記セル情報と前記選択可否情報とを受信する。
2010122839.tif 000002
【特許請求の範囲】
【請求項１】
無線通信端末と、基地局装置と、を備える無線通信システムであって、
前記基地局装置は、
前記無線通信端末に対し、前記基地局装置のセルに関するセル情報と当該セル情報を手動選択可能かどうかを示す選択可否情報とを送信し、
前記無線通信端末は、
前記基地局装置から、前記基地局装置の前記セル情報と前記選択可否情報とを受信する、無線通信システム。
【請求項２】
前記基地局装置は、
前記基地局装置の前記セル情報と前記選択可否情報とをＳｙｓｔｅｍ  Ｉｎｆｏｒｍａｔｉｏｎに設定し、前記Ｓｙｓｔｅｍ  Ｉｎｆｏｒｍａｔｉｏｎを前記基地局装置のセルに報知する、請求項１に記載の無線通信システム。
【請求項３】
前記基地局装置は、
前記基地局装置の前記セル情報と前記選択可否情報とを所定のメッセージに設定し、前記所定のメッセージを前記無線通信端末に対して送信する、請求項１に記載の無線通信システム。
【請求項４】
前記基地局装置は、
前記基地局装置の通信状況に応じて、前記基地局装置の前記セル情報を手動選択可能かどうかを決定する、請求項１から３のいずれか１項に記載の無線通信システム。
【請求項５】
前記基地局装置は、
前記基地局装置に入力される指示に応じて、前記基地局装置の前記セル情報を手動選択可能かどうかを決定する、請求項１から３のいずれか１項に記載の無線通信システム。
【請求項６】
前記基地局装置は、
現在の時間帯に応じて、前記基地局装置の前記セル情報を手動選択可能かどうかを決定する、請求項１から３のいずれか１項に記載の無線通信システム。
【請求項７】
前記無線通信端末は、
自端末が接続可能なセルのセル情報のリストである許可リストを予め保持しており、
前記許可リストおよび前記選択可否情報に基づいて、前記基地局装置の前記セル情報を手動選択候補とするかどうかを決定する、請求項１から６のいずれか１項に記載の無線通信システム。
【請求項８】
前記無線通信端末は、
近隣セルのセル情報のうち、前記許可リスト内に含まれず、かつ、前記選択可否情報が手動選択不可を示すセル情報を、手動選択候補から除外する、請求項７に記載の無線通信システム。
【請求項９】
前記無線通信端末は、
近隣セルのセル情報のうち、前記許可リスト内に含まれず、かつ、前記選択可否情報が手動選択不可を示すセル情報を、制限リストに登録し、その他の近隣セルのセル情報を選択候補リストに登録し、
前記制限リスト内に含まれる近隣セルのセル情報のうち、前記選択候補リスト内に含まれないセル情報を、手動選択候補から除外する、請求項７に記載の無線通信システム。
【請求項１０】
前記無線通信端末は、
手動選択されたセル情報を持つセルを選択する際、
前記選択可否情報が手動選択不可を示すセル情報を持つセルを除外し、前記選択可否情報が手動選択可能を示すセル情報を持つセルまたは前記選択可否情報が設定されていないセルを選択する、請求項９に記載の無線通信システム。
【請求項１１】
前記無線通信端末は、
前記セル情報の手動選択候補を表示する際に、手動選択候補から除外したセル情報については、非表示とするか、または、選択できないセル情報として表示する、請求項８から１０のいずれか１項に記載の無線通信システム。
【請求項１２】
前記基地局装置は、
前記無線通信端末のアクセスクラスごとに、前記基地局装置の前記セル情報を手動選択可能かどうかを決定し、
前記無線通信端末に対し、アクセスクラスごとの前記選択可否情報を送信し、
前記無線通信端末は、
自端末に予め割り当てられているアクセスクラスの前記選択可否情報に基づいて、前記基地局装置の前記セル情報を手動選択候補とするかどうかを決定する、請求項７から１１のいずれか１項に記載の無線通信システム。
【請求項１３】
無線通信端末と無線通信を行う基地局装置であって、
前記無線通信端末に対し、前記基地局装置のセルに関するセル情報と当該セル情報を手動選択可能かどうかを示す選択可否情報とを送信する送信部を有する、基地局装置。
【請求項１４】
前記基地局装置の前記セル情報と前記選択可否情報とをＳｙｓｔｅｍ  Ｉｎｆｏｒｍａｔｉｏｎに設定する制御部をさらに有し、
前記送信部は、前記Ｓｙｓｔｅｍ  Ｉｎｆｏｒｍａｔｉｏｎを前記基地局装置のセルに報知する、請求項１３に記載の基地局装置。
【請求項１５】
前記基地局装置の前記セル情報と前記選択可否情報とを所定のメッセージに設定する制御部をさらに有し、
前記送信部は、前記所定のメッセージを前記無線通信端末に対して送信する、請求項１３に記載の基地局装置。
【請求項１６】
前記制御部は、前記基地局装置の通信状況に応じて、前記基地局装置の前記セル情報を手動選択可能かどうかを決定する、請求項１４または１５に記載の基地局装置。
【請求項１７】
前記制御部は、前記基地局装置に入力される指示に応じて、前記基地局装置の前記セル情報を手動選択可能かどうかを決定する、請求項１４または１５に記載の基地局装置。
【請求項１８】
前記制御部は、現在の時間帯に応じて、前記基地局装置の前記セル情報を手動選択可能かどうかを決定する、請求項１４または１５に記載の基地局装置。
【請求項１９】
前記制御部は、前記無線通信端末のアクセスクラスごとに、前記基地局装置の前記セル情報を手動選択可能かどうかを決定し、
前記送信部は、前記無線通信端末に対し、アクセスクラスごとの前記選択可否情報を送信する、請求項１４から１８のいずれか１項に記載の基地局装置。
【請求項２０】
基地局装置と無線通信を行う無線通信端末であって、
前記基地局装置から、前記基地局装置のセルに関するセル情報と当該セル情報を手動選択可能かどうかを示す選択可否情報とを受信する受信部を有する、無線通信端末。
【請求項２１】
自端末が接続可能なセルのセル情報のリストである許可リストを予め保持し、前記許可リストおよび前記選択可否情報に基づいて、前記基地局装置の前記セル情報を手動選択候補とするかどうかを決定する制御部をさらに有する、請求項２０に記載の無線通信端末。
【請求項２２】
前記制御部は、近隣セルのセル情報のうち、前記許可リスト内に含まれず、かつ、前記選択可否情報が手動選択不可を示すセル情報を、手動選択候補から除外する、請求項２１に記載の無線通信端末。
【請求項２３】
前記制御部は、
近隣セルのセル情報のうち、前記許可リスト内に含まれず、かつ、前記選択可否情報が手動選択不可を示すセル情報を、制限リストに登録し、その他の近隣セルのセル情報を選択候補リストに登録し、
前記制限リスト内に含まれる近隣セルのセル情報のうち、前記選択候補リスト内に含まれないセル情報を、手動選択候補から除外する、請求項２１に記載の無線通信端末。
【請求項２４】
前記制御部は、
手動選択されたセル情報を持つセルを選択する際、
前記選択可否情報が手動選択不可を示すセル情報を持つセルを除外し、前記選択可否情報が手動選択可能を示すセル情報を持つセルまたは前記選択可否情報が設定されていないセルを選択する、請求項２３に記載の無線通信端末。
【請求項２５】
前記制御部は、
前記セル情報の手動選択候補を表示する際に、手動選択候補から除外したセル情報については、非表示とするか、または、選択できないセル情報として表示する、請求項２２から２４のいずれか１項に記載の無線通信端末。
【請求項２６】
前記受信部は、アクセスクラスごとの前記選択可否情報を受信し、
前記制御部は、自端末に予め割り当てられているアクセスクラスの前記選択可否情報に基づいて、前記基地局装置の前記セル情報を手動選択候補とするかどうかを決定する、請求項２０から２５のいずれか１項に記載の無線通信端末。
【請求項２７】
無線通信端末と、基地局装置と、を備える無線通信システムによる無線通信方法であって、
前記基地局装置が、前記無線通信端末に対し、前記基地局装置のセルに関するセル情報と当該セル情報を手動選択可能かどうかを示す選択可否情報とを送信するステップと、
前記無線通信端末が、前記基地局装置から、前記基地局装置の前記セル情報と前記選択可否情報とを受信するステップと、を有する無線通信方法。
【請求項２８】
無線通信端末と無線通信を行う基地局装置による通信方法であって、
前記無線通信端末に対し、前記基地局装置のセルに関するセル情報と当該セル情報を手動選択可能かどうかを示す選択可否情報とを送信するステップを有する無線通信方法。
【請求項２９】
基地局装置と無線通信を行う無線通信端末による無線通信方法であって、
前記基地局装置から、前記基地局装置のセルに関するセル情報と当該セル情報を手動選択可能かどうかを示す選択可否情報とを受信するステップを有する無線通信方法。
【発明の詳細な説明】
【技術分野】
【０００１】
本発明は、無線通信システム、基地局装置、無線通信端末、無線通信方法に関する。
【背景技術】
【０００２】
最近の無線通信システムの中には、基地局装置として、フェムト基地局と呼ばれる小型無線基地局（Home  NBまたはHome  eNB：以下、双方を指す場合はH(e)NBと称す）を設けたものがある。【０００３】
H(e)NBが構築する無線通信可能領域であるフェムトセルには、限定加入者グループ（Closed  Subscriber  Group、以下、CSGと称す）のCSG  ID(3GPP  TS25.331)が付与されていている。そして、そのCSGに加入しているユーザが使用する無線通信端末であるUE（User  Equipment）だけが、フェムトセルに接続可能になっている(3GPP  TS25.304)。【０００４】
また、CSGに加入しているユーザが使用するUEは、接続可能なフェムトセルに付与されているCSG  IDのリストであるAllowed  CSG  Listを内部に保持し、接続可能なフェムトセルを管理している(3GPP  TS25.304)。【０００５】
その一方で、CSGに加入していないユーザも、CSG  IDの手動選択（Manual  CSG  ID  Selection、3GPP  TS25.304)によって、Allowed  CSG  Listに存在していないCSG  IDが付与されているフェムトセルを選択し、UEから接続要求を行うことが可能である。【０００６】
この場合、接続要求を行ったUEは、通信当初に使用可能なサービスは限定されているが、Core  Network  Nodeとの通信によって接続に成功した場合、手動選択したCSG  IDをAllowed  CSG  Listに追加することが可能となる(3GPP  TS25.304)。【０００７】
ところで、H(e)NBが、ショッピングセンターやライブハウスなど人口が密集する場所に設置される場合、そのH(e)NBを所有する所有者およびその関係者が使用するUEにおいては、そのH(e)NBが構築するフェムトセルに付与されているCSG  IDがAllowed  CSG  Listに含められ、そのフェムトセルに接続することが許容される。【０００８】
ただし、この場合、H(e)NBの所有者およびその関係者以外の一般客のUEも、フェムトセルのCSG  IDがAllowed  CSG  Listに含まれないにも関わらず、CSG  IDの手動選択によって、そのフェムトセルへの接続要求が許容されることがある。【０００９】
そのため、非常に多くの一般客のUEが、フェムトセルへの接続要求を繰り返し行うことが予想され、そのときには、H(e)NBでのシグナリングの輻輳が発生し、H(e)NBの所有者およびその関係者が使用するUEが接続要求をすることができないという問題が発生することが予想される。【００１０】
特に、H(e)NBがHybrid  Access  Modeで動作を行う場合には、上記の問題が発生する可能性が高いと考えられる。Hybrid  Access  Modeとは、H(e)NBが構築するフェムトセルに接続可能なUEとして、CSGに加入しているCSGメンバーのUEだけでなく、Non  CSGメンバーのUEも含めるモードのことである（TS22.220  Ver9.0.0）。【００１１】
上記の問題を解決するために、CSGメンバーのUEからのフェムトセルへの接続要求を許容し、Non  CSGメンバーのUEからのフェムトセルへの接続要求を制限する仕組みを構築することが考えられる。【００１２】
例えば、公開文書3GPP:RP-090307では、フェムトセルのCSG  IDをAllowed  CSG  Listに含むUEのみの接続要求を許容するパラメータ(Cell  Reserved  for  CSG)が提案されている。このパラメータを用いることにより、以下が実現可能である。
（１）全UEのフェムトセルへの接続要求を禁止する（既存）
（２）フェムトセルのCSG  IDをAllowed  CSG  Listに含むUEのフェムトセルへの接続要求のみを許容し、それ以外のUEの接続要求は禁止する(新規)
【先行技術文献】
【非特許文献】
【００１３】
【非特許文献１】3GPP  TS25.304  Ver8.5.0
【非特許文献２】3GPP:RP-090307
【発明の概要】
【発明が解決しようとする課題】
【００１４】
ところで、上記パラメータCSG  Reserved  for  CSGを用いる構成においては、フェムトセルのCSG  IDをAllowed  CSG  Listに含むUE以外の全てのUE、すなわちフェムトセルのCSG  IDをAllowed  CSG  Listに含まないUEだけでなくCSGに対応していないUEからのフェムトセルへの接続要求が許容されない。【００１５】
そのため、CSGに対応していない古いUEを使用するユーザは、フェムトセルを利用する場合、強制的にCSG対応のUEへの買い替えが必要となってしまう。【００１６】
したがって、H(e)NBでのシグナリングの輻輳の発生を回避しつつ、CSGに対応していないUEのフェムトセルへの接続要求をも許容するには、そのH(e)NBが構築するフェムトセルのCSG  IDをUEにて手動選択することを禁止する仕組みが必要であると考えられる。【００１７】
しかしながら、現状の構成では、UEは、フェムトセルのCSG  IDが手動選択可能であるかどうかを知ることができないため、そのCSG  IDをUEにて手動選択することを禁止することができないという課題がある。【００１８】
そこで、本発明の目的は、UEが、フェムトセルのCSG  IDが手動選択可能であるかどうかを知ることができる無線通信システム、基地局装置、無線通信端末、通信方法を提供することにある。
【課題を解決するための手段】
【００１９】
本発明の無線通信システムは、
無線通信端末と、基地局装置と、を備える無線通信システムであって、
前記基地局装置は、
前記無線通信端末に対し、前記基地局装置のセルに関するセル情報と当該セル情報を手動選択可能かどうかを示す選択可否情報とを送信し、
前記無線通信端末は、
前記基地局装置から、前記基地局装置の前記セル情報と前記選択可否情報とを受信する。【００２０】
本発明の基地局装置は、
無線通信端末と無線通信を行う基地局装置であって、
前記無線通信端末に対し、前記基地局装置のセルに関するセル情報と当該セル情報を手動選択可能かどうかを示す選択可否情報とを送信する送信部を有する。【００２１】
本発明の無線通信端末は、
基地局装置と無線通信を行う無線通信端末であって、
前記基地局装置から、前記基地局装置のセルに関するセル情報と当該セル情報を手動選択可能かどうかを示す選択可否情報とを受信する受信部を有する。【００２２】
本発明の第１の無線通信方法は、
無線通信端末と、基地局装置と、を備える無線通信システムによる無線通信方法であって、
前記基地局装置が、前記無線通信端末に対し、前記基地局装置のセルに関するセル情報と当該セル情報を手動選択可能かどうかを示す選択可否情報とを送信するステップと、
前記無線通信端末が、前記基地局装置から、前記基地局装置の前記セル情報と前記選択可否情報とを受信するステップと、を有する。【００２３】
本発明の第２の無線通信方法は、
無線通信端末と無線通信を行う基地局装置による通信方法であって、
前記無線通信端末に対し、前記基地局装置のセルに関するセル情報と当該セル情報を手動選択可能かどうかを示す選択可否情報とを送信するステップを有する。【００２４】
本発明の第３の無線通信方法は、
基地局装置と無線通信を行う無線通信端末による無線通信方法であって、
前記基地局装置から、前記基地局装置のセルに関するセル情報と当該セル情報を手動選択可能かどうかを示す選択可否情報とを受信するステップを有する。
【発明の効果】
【００２５】
以上説明したように、本発明においては、基地局装置は、無線通信端末に対し、基地局装置のセルに関するセル情報と当該セル情報を手動選択可能かどうかを示す選択可否情報とを送信する。【００２６】
したがって、無線通信端末は、基地局装置のセル情報を無線通信端末にて手動選択可能かどうかを知ることができるという効果が得られる。
【図面の簡単な説明】
【００２７】
【図１】本発明の第１の実施形態の無線通信システムの構成を示すブロック図である。
【図２】本発明の第１の実施形態の無線通信システムの動作を説明するシーケンス図である。
【図３】本発明の第２の実施形態の無線通信システムのネットワーク構成を示す図である。
【図４】本発明の第２の実施形態のH(e)NBがSystem  Informationに設定するパラメータ：Cell  Prohibited  for  Manual  CSG  ID  Selectionを示す図である。
【図５】本発明の第２の実施形態のH(e)NBの構成を示すブロック図である。
【図６】本発明の第２の実施形態のUEの構成を示すブロック図である。
【図７】本発明の第２の実施形態の無線通信システムの動作を説明するシーケンス図である。
【図８】本発明の第２の実施形態のH(e)NBの動作を説明するフローチャートである。
【図９】本発明の第２の実施形態のUEの動作を説明するフローチャートである。
【図１０】本発明の第２の実施形態のUEに表示される、CSG  IDの手動選択候補の表示画面を示す図である。
【図１１】本発明の第３の実施形態の無線通信システムの動作を説明するシーケンス図である。
【図１２Ａ】本発明の第３の実施形態のUEの動作を説明するフローチャートである。
【図１２Ｂ】本発明の第３の実施形態のUEのCSG  IDの手動選択候補の抽出手順を説明するフローチャートである。
【図１３】本発明の第４の実施形態のH(e)NBがSystem  Informationに設定するパラメータ：Access  Class  Barred  for  Manual  CSG  ID  Selectionを示す図である。
【図１４】本発明の第５の実施形態の無線通信システムのネットワーク構成を示す図である。
【発明を実施するための形態】
【００２８】
以下に、本発明を実施するための形態について図面を参照して説明する。
（第１の実施形態）
図１を参照すると、本実施形態の無線通信システムは、基地局装置であるH(e)NB１０１と、無線通信端末であるUE４０１と、を有している。なお、図１においては、説明の簡素化のために、H(e)NBおよびUEをそれぞれ１つだけ図示しているが、H(e)NBおよびUEの数はこれに限定されない。
【００２９】
H(e)NB１０１は、UE４０１に対し、H(e)NB１０１が構築するフェムトセルに関するセル情報と、そのセル情報をUE４０１にて手動選択可能かどうかを示す選択可否情報と、を送信する送信部１０００を有している。
【００３０】
なお、セル情報とは、セルを識別するまたはセルの属性を示す情報であって、例えば、CSG  IDなどである。
【００３１】
また、UE４０１は、H(e)NB１０１から、H(e)NB１０１のセル情報と選択可否情報とを受信する受信部４０００を有している。
【００３２】
以下、本実施形態の無線通信システムの動作について、図２に示すシーケンス図を使用して説明する。
【００３３】
H(e)NB１０１の送信部１０００は、ステップＡ１において、UE４０１に対し、H(e)NB１０１のセル情報と、そのセル情報の選択可否情報と、を送信する。ただし、セル情報および選択可否情報は、必ずしも同時に送信する必要はなく、別々に送信してもよい。このセル情報および選択可否情報は、UE４０１の受信部４０００にて受信される。
【００３４】
したがって、本実施形態においては、UE４０１は、H(e)NB１０１のセル情報をUE４０１にて手動選択可能かどうかを知ることができるという効果が得られる。
（第２の実施形態）
本実施形態は、第１の実施形態の構成および動作をより具体化した例である。
【００３５】
図３には、本実施形態の無線通信システムのネットワーク構成が示されている。
【００３６】
図３を参照すると、本実施形態の無線通信システムは、基地局装置であるH(e)NB１０１，１０２と、無線通信端末であるUE４０１と、を有している。なお、図３においては、説明の簡素化のために、H(e)NBを２つ、UEを１つ図示しているが、H(e)NBおよびUEの数はこれに限定されない。また、UEは２つのフェムトセルの圏内に存在しているが、１または３つ以上のフェムトセルの圏内に存在してもよい。
【００３７】
H(e)NB１０１は、セル情報であるCSG  ID３０１が付与されているフェムトセル２０１を構築し、CSG  ID３０１を設定したSystem  Informationをフェムトセル２０１に報知する。このとき、H(e)NB１０１は、System  Informationに、CSG  ID３０１を手動選択することが可能かどうかを示す選択可否情報であるパラメータも設定している。本明細書においては、このパラメータを、図４に示すように、Cell  Prohibited  for  Manual  CSG  ID  Selectionとして、System  Informationに設定するものとする。
【００３８】
H(e)NB１０２は、セル情報であるCSG  ID３０２が付与されているフェムトセル２０２を構築し、CSG  ID３０２を設定したSystem  Informationをフェムトセル２０２に報知する。このとき、H(e)NB１０２は、System  Informationに、CSG  ID３０２を手動選択することが可能かどうかを示す選択可否情報であるパラメータ：Cell  Prohibited  for  Manual  CSG  ID  Selectionも設定している。
【００３９】
UE４０１は、両フェムトセル２０１，２０２に在圏し、両フェムトセル２０１，２０２にそれぞれ報知されているSystem  Informationを取得可能であり、それぞれのCSG  ID３０１，３０２を手動選択することが可能かどうかを示すパラメータ：Cell  Prohibited  for  Manual  CSG  ID  Selectionを認識する。
【００４０】
図５には、H(e)NB１０１の詳細な構成が示されている。なお、H(e)NB１０２も、H(e)NB１０１と同様の構成になっている。
【００４１】
図５を参照すると、H(e)NB１０１は、送受信アンテナ１００１と、送信処理部１００２と、System  Information設定部１００３と、CSG  ID記憶メモリ１００４と、負荷制御部１００５と、を有している。
【００４２】
なお、図５においては、送受信アンテナ１００１および送信処理部１００２により、図１に示した送信部１０００を構成している。また、System  Information設定部１００３、CSG  ID記憶メモリ１００４、および負荷制御部１００５により、制御部を構成している。
【００４３】
CSG  ID記憶メモリ１００４は、H(e)NB１０１が構築するフェムトセル２０１に付与されているCSG  ID３０１が登録されている。
【００４４】
負荷制御部１００５は、H(e)NB１０１が構築するフェムトセル２０１におけるシグナリング処理完了率、送信電力利用率、およびネットワーク資源の使用率等を把握しており、これらを基にH(e)NB１０１の負荷状態を判定する。
【００４５】
そして、負荷制御部１００５は、H(e)NB１０１の負荷状態を基に、フェムトセル２０１に在圏するUEがCSG  ID記憶メモリ１００４に登録されたCSG  ID３０１を手動選択することが可能であるかどうかを決定し、低負荷であれば、手動選択可能を意味する「許可（Not  Prohibited、Not  Barred、Reserved）」を、高負荷であれば、手動選択不可を意味する「制限（Prohibited、Barred、Not  Reserved）」を、パラメータ：Cell  Prohibited  for  Manual  CSG  ID  Selectionに設定する。
【００４６】
System  Information設定部１００３は、負荷制御部１００５から取得するパラメータ：Cell  Prohibited  for  Manual  CSG  ID  Selectionと、CSG  ID記憶メモリ１００４から取得するCSG  ID３０１とを、System  Informationに設定する。
【００４７】
送信処理部１００２は、System  Information設定部１００３から取得するSystem  Informationを、送受信アンテナ１００１を経由してフェムトセル２０１にブロードキャストで報知する。
【００４８】
図６には、UE４０１の詳細な構成が示されている。
【００４９】
図６を参照すると、UE４０１は、送受信アンテナ４００１と、送信処理部４００２と、受信処理部４００３と、セル選択処理部４００４と、Allowed  CSG  List記憶メモリ４００５と、近隣セルリスト記憶メモリ４００６と、表示部４００７と、を有している。
【００５０】
なお、図６においては、送受信アンテナ４００１および受信処理部４００３により、図１に示した受信部４０００を構成している。また、セル選択処理部４００４、Allowed  CSG  List記憶メモリ４００５、および近隣セルリスト記憶メモリ４００６により、制御部を構成している。
【００５１】
受信処理部４００３は、フェムトセル２０１およびフェムトセル２０２に報知されているSystem  Informationを、送受信アンテナ４００１を経由して受信し、近隣セルリスト記憶メモリ４００６に登録する。
【００５２】
セル選択処理部４００４は、近隣セルリスト記憶メモリ４００６に含まれる近隣セルのCSG  IDと、Allowed  CSG  List記憶メモリ４００５に含まれるCSG  IDとを比較し、近隣セルのCSG  IDであってAllowed  CSG  List記憶メモリ４００５に含まれているCSG  IDを、CSG  IDの手動選択可能候補とする。
【００５３】
さらに、セル選択処理部４００４は、近隣セルリスト記憶メモリ４００６に含まれる各近隣セルのCSG  IDのパラメータ：Cell  Prohibited  for  Manual  CSG  ID  Selectionの値を認識し、近隣セルのCSG  IDであってパラメータ：Cell  Prohibited  for  Manual  CSG  ID  Selectionの値が「許可」であるCSG  IDも、CSG  IDの手動選択可能候補とする。
【００５４】
セル選択処理部４００４は、CSG  IDの手動選択可能候補のリストを表示部４００７に表示し、UE４０１を使用するユーザは、表示部４００７に手動選択可能候補として表示されたCSG  IDの中から、少なくとも１つのCSG  IDを手動選択することが可能となる。
【００５５】
さらに、セル選択処理部４００４は、ユーザに手動選択されたCSG  IDが付与されているファムトセルを接続要求先に決定する。
【００５６】
送信処理部４００２は、接続要求メッセージを生成し、送受信アンテナ４００１を経由して、ユーザに手動選択されたCSG  IDが付与されているファムトセルを構築しているH(e)NBへ接続要求メッセージを送信する。
【００５７】
以上、本実施形態の構成を詳細に述べたが、図３の無線通信システムの構成、図５のH(e)NBの構成、および図６のUEの構成は、パラメータ：Cell  Prohibited  for  Manual  CSG  ID  Selectionに関わる部分を除いて、全て、3GPPに準拠する無線通信システムに関わる当業者にとってよく知られており、また、本発明とは直接関係しないので、その詳細な構成の説明は省略する。
【００５８】
以下、本実施形態の無線通信システムの動作について説明する。
【００５９】
最初に、本実施形態の無線通信システムの全体動作について、図７に示すシーケンス図を使用して説明する。
【００６０】
図７を参照すると、H(e)NB１０１では、ステップＢ１において、パラメータ：Cell  Prohibited  for  Manual  CSG  ID  Selectionの値を決定し、続いて、ステップＢ２において、CSG  ID３０１とパラメータ：Cell  Prohibited  for  Manual  CSG  ID  Selectionとが設定されたSystem  Informationをフェムトセル２０１に報知する。
【００６１】
一方、H(e)NB１０２では、ステップＢ３において、パラメータ：Cell  Prohibited  for  Manual  CSG  ID  Selectionの値を決定し、続いて、ステップＢ４において、CSG  ID３０２とパラメータ：Cell  Prohibited  for  Manual  CSG  ID  Selectionとが設定されたSystem  Informationをフェムトセル２０２に報知する。
【００６２】
UE４０１では、ステップＢ５において、フェムトセル２０１から、CSG  ID３０１とパラメータ：Cell  Prohibited  for  Manual  CSG  ID  Selectionとを受信するとともに、フェムトセル２０２から、CSG  ID３０２とパラメータ：Cell  Prohibited  for  Manual  CSG  ID  Selectionとを受信する。
【００６３】
次に、H(e)NB１０１，１０２の動作について説明する。ここでは、H(e)NB１０１の動作について、図８に示すフローチャートを使用して説明する。
【００６４】
図８を参照すると、まず、ステップＣ１において、負荷制御部１００５は、H(e)NB１０１が構築するフェムトセル２０１におけるシグナリング処理完了率、送信電力利用率、およびネットワーク資源の使用率等を基に、H(e)NB１０１の負荷状態を判定する。
【００６５】
負荷制御部１００５は、H(e)NB１０１が高負荷状態であれば、ステップＣ２において、パラメータ：Cell  Prohibited  for  Manual  CSG  ID  Selectionの値を[制限]に設定し、H(e)NB１０１が低負荷状態であれば、ステップＣ３において、パラメータ：Cell  Prohibited  for  Manual  CSG  ID  Selectionの値を[許容]に設定する。
【００６６】
なお、高負荷状態または低負荷状態の判定方法としては、例えば、シグナリング処理完了率、送信電力利用率、およびネットワーク資源の使用率等の項目のうち所定数以上の項目で予め決められた閾値を超えている場合を高負荷、その他の場合を低負荷と判定する方法などが考えられるが、これに限定されない。
【００６７】
その後、ステップＣ４において、System  Information設定部１００３は、上記のパラメータ：Cell  Prohibited  for  Manual  CSG  ID  SelectionをSystem  Informationに設定し、送信処理部１００２は、そのSystem  Informationをフェムトセル２０１に報知する。
【００６８】
なお、本実施形態においては、H(e)NB１０１の負荷状態の判定をH(e)NB１０１自身で実施しているが、不図示の上位ノード（Core  Network  NodeやH(e)NB  GW）で実施することとしてもよい。
【００６９】
この場合、上位ノードが、H(e)NB１０１の負荷状態の判定結果を通知し、H(e)NB１０１が、通知された判定結果を基に上記パラメータの値を設定してもよい。または、上位ノードが、H(e)NB１０１の負荷状態の判定結果を基に上記パラメータの値の設定要求を行い、H(e)NB１０１が、通知された設定要求を基に上記パラメータの値を設定してもよい。なお、上位ノードが、H(e)NB１０１が高負荷状態であることを示す判定結果や、H(e)NB１０１が高負荷状態であるために上記パラメータの値を[制限]に設定することを示す変更要求は、メッセージを上位ノードがH(e)NB１０１に通知する。また、上位ノード自身が高負荷状態であるときに送信するメッセージを、H(e)NB１０１が受信する事によって、H(e)NB１０１が上記パラメータの値を[制限]に設定してもよい。そのメッセージとしては、例えば、RANAP:  Overload  messageが挙げられる。
【００７０】
また、本実施形態においては、H(e)NB１０１の通信状況を示す指標として、シグナリング処理完了率、送信電力利用率、およびネットワーク資源の使用率等などの負荷状態を用いているが、例えば、H(e)NB１０１のフェムトセル２０１における、在圏UE数、通信中のUE数、通信中の音声呼数、通信中のパケット呼数、ＨＳＤＰＡユーザ数、ＨＳＵＰＡユーザ数、ＭＢＭＳユーザ数、チャネライゼーションコード利用数、アクティブな無線アクセスベアラ数、H(e)NB１０１のＣＰＵ使用率、H(e)NB１０１のメモリ使用率、通信完了率、呼損率、接続成功/失敗率、ハンドオーバー実施頻度、ハンドオーバー成功・失敗率、アップリンク干渉量、ダウンリンク干渉量、アップリンクバッファ量、ダウンリンクバッファ量などを用いてもよい。
【００７１】
また、本実施形態においては、H(e)NB１０１の通信状況に応じて、上記パラメータの値を決定しているが、現在の時間帯に応じて、上記パラメータの値を決定してもよい。例えば、深夜やH(e)NB１０１の所有者およびその関係者が会議中である時間帯は、[許容]とするなどが考えられる。
【００７２】
または、オペレーターによってH(e)NB１０１に入力される指示に応じて、上記パラメータの値を決定してもよい。さらに、H(e)NB１０１の所有者およびその関係者のUEなどの特定のUEからの遠隔操作により、上記の指示をH(e)NB１０１に入力してもよい。
【００７３】
また、本実施形態においては、[許容]の場合、System  Informationに上記のパラメータを設定しないことと同じ意味としてもよい。
【００７４】
また、本実施形態においては、パラメータ：Cell  Prohibited  for  Manual  CSG  ID  Selectionを個別の独立したパラメータとしたが、既存のパラメータの一部の値としてもよい。
【００７５】
次に、UE４０１の動作について、図９に示すフローチャートを使用して説明する。
【００７６】
図９を参照すると、まず、受信処理部４００３は、ステップＤ１において、近隣セルのSystem  Informationを受信することで、近隣セルのCSG  IDを取得する。
【００７７】
次に、セル選択処理部４００４は、ステップＤ２において、近隣セルのCSG  IDを、Allowed  CSG  List記憶メモリ４００５に含まれているCSG  IDと比較する。
【００７８】
もし、近隣セルのCSG  IDがAllowed  CSG  List内に含まれる場合、セル選択処理部４００４は、ステップＤ３において、その近隣セルのCSG  IDがAllowed  CSG  List内に含まれることを表示部４００７に表示し、ステップＤ４において、その近隣セルのCSG  IDを手動選択可能候補とする。
【００７９】
一方、近隣セルのCSG  IDがAllowed  CSG  List内に含まれない場合、セル選択処理部４００４は、ステップＤ５において、その近隣セルに報知されているSystem  Informationに設定されているパラメータ：Cell  Prohibited  for  Manual  CSG  ID  Selectionの値を認識する。もし、[許容]が設定されているかまたはパラメータが設定されていない場合、セル選択処理部４００４は、ステップＤ４において、その近隣セルのCSG  IDを手動選択可能候補として残し、[制限]が設定されている場合、セル選択処理部４００４は、ステップＤ６において、その近隣セルのCSG  IDを手動選択可能候補から除外する。
【００８０】
その後、セル選択処理部４００４は、ステップＤ７において、CSG  IDの手動選択可能候補のリストを表示部４００７に表示する。なお、手動選択可能候補から除外されたCSG  IDは、非表示としてもよいし、選択できないCSG  IDとして表示してもよい。
【００８１】
このときの表示部４００７での表示画面の一例を図１０に示す。
【００８２】
すなわち、以下の（Ａ）、（Ｂ）のいずれかを満たすCSG  IDが手動選択可能候補となり、UE４０１を使用するユーザは、CSG  IDの手動選択可能候補の中から、少なくとも１つのCSG  IDを手動選択することが可能となる。
（Ａ）Allowed  CSG  List内に含まれるCSG  IDであること
（Ｂ）System  Informationのパラメータ：Cell  Prohibited  for  Manual  CSG  ID  Selectionの値が[許容]に設定されているCSG  IDであること
言い換えれば、UE４０１を使用するユーザは、Allowed  CSG  List内に含まれないCSG  IDであって、そのCSG  IDが付与されているフェムトセルのSystem  Informationのパラメータ：Cell  Prohibited  for  Manual  CSG  ID  Selectionの値が[制限]に設定されているCSG  IDについては、手動選択することができない。
【００８３】
図１０の例では、CSG  ID  [３０１，３０４，３０５]は、UE４０１のAllowed  CSG  List内に含まれるため、CSG  IDの手動選択可能候補となる。
【００８４】
特に、CSG  ID  [３０５]は、フェムトセルのSystem  Informationのパラメータ：Cell  Prohibited  for  Manual  CSG  ID  Selectionの値が[制限]であるにも関わらず、UE４０１のAllowed  CSG  List内に含まれるため、CSG  IDの手動選択可能候補となる。なぜなら、例えば、CSG  ID  [３０５]のフェムトセルを構築しているH(e)NBの所有者またはその関係者は、CSG  ID  [３０５]をUEのAllowed  CSG  Listに含めていて、たとえCSG  ID  [３０５]のフェムトセルが混んでいる状況でも、UEからCSG  ID  [３０５]のフェムトセルへの接続要求を許容されることが求められるからである。
【００８５】
また、CSG  ID  [３０６，３０７]は、Allowed  CSG  List内には含まれないものの、フェムトセルのSystem  Informationのパラメータ：Cell  Prohibited  for  Manual  CSG  ID  Selectionの値が[許容]に設定されているため、CSG  IDの手動選択可能候補となる。
【００８６】
また、CSG  ID[３０２，３０３]は、Allowed  CSG  List内に含まれないCSG  IDであって、フェムトセルのSystem  Informationのパラメータ：Cell  Prohibited  for  Manual  CSG  ID  Selectionの値が[制限]に設定されているため、CSG  IDの手動選択可能候補から除外される。
【００８７】
上述したように本実施形態においては、H(e)NB１０１，１０２の各々が、フェムトセル２０１，２０２に報知するSystem  Informationにおいて、フェムトセル２０１，２０２に付与されたCSG  ID３０１，３０２を手動選択することが可能かどうか示すパラメータ：Cell  Prohibited  for  Manual  CSG  ID  Selectionの値を設定している。
【００８８】
したがって、UE４０１は、CSG  ID３０１，３０２がユーザにより手動選択可能であるかどうかを知ることができるという効果が得られる。
【００８９】
また、本実施形態においては、UE４０１は、Allowed  CSG  List内に含まれないCSG  IDであって、パラメータ：Cell  Prohibited  for  Manual  CSG  ID  Selectionが［制限］に設定されているCSG  IDについては、CSG  IDの手動選択可能候補から除外している。
【００９０】
したがって、H(e)NBの所有者およびその関係者以外の一般客のUEが、フェムトセルへの接続要求を行うことを減らすことができるため、H(e)NBでのシグナリングの輻輳の発生を減らすことができるという効果が得られる。
【００９１】
また、本実施形態においては、単に特定のCSG  IDを手動選択可能候補から除外するものであるため、Allowed  CSG  List内にCSG  IDを含むUEのフェムトセルへの接続要求だけでなく、CSGに対応していない古いUEやAllowed  CSG  List内にCSG  IDを含まないUEのフェムトセルへの接続要求も許容することができるという効果が得られる。
（第３の実施形態）
本実施形態は、図３の第２の実施形態と比較して、無線通信システムのネットワーク構成は同様であるが、両フェムトセル２０１，２０２に同じCSG  ID３０１が付与されており、動作が異なる。
【００９２】
最初に、本実施形態の無線通信システムの全体動作について、図１１に示すシーケンス図を使用して説明する。
【００９３】
図１１を参照すると、H(e)NB１０１では、ステップＥ１において、パラメータ：Cell  Prohibited  for  Manual  CSG  ID  Selectionの値を[制限]に決定し、続いて、ステップＥ２において、CSG  ID３０１とパラメータ：Cell  Prohibited  for  Manual  CSG  ID  Selectionとが設定されたSystem  Informationをフェムトセル２０１に報知する。
【００９４】
一方、H(e)NB１０２では、ステップＥ３において、パラメータ：Cell  Prohibited  for  Manual  CSG  ID  Selectionの値を[許容]に決定し、続いて、ステップＥ４において、CSG  ID３０１とパラメータ：Cell  Prohibited  for  Manual  CSG  ID  Selectionとが設定されたSystem  Informationをフェムトセル２０２に報知する。
【００９５】
UE４０１では、ステップＥ５において、フェムトセル２０１から、CSG  ID３０１とパラメータ：Cell  Prohibited  for  Manual  CSG  ID  Selectionとを受信するとともに、フェムトセル２０２から、CSG  ID３０１とパラメータ：Cell  Prohibited  for  Manual  CSG  ID  Selectionとを受信する。
【００９６】
すなわち、図１１では、CSG  ID３０１が付与されたフェムトセル２０１のSystem  Informationのパラメータ：Cell  Prohibited  for  Manual  CSG  ID  Selectionは[制限]に設定され、同じCSG  ID３０１が付与された別のフェムトセル２０２のSystem  Informationのパラメータ：Cell  Prohibited  for  Manual  CSG  ID  Selectionは[許容]に設定されている。
【００９７】
第１の実施形態においては、UE４０１は、パラメータ：Cell  Prohibited  for  Manual  CSG  ID  Selectionが［制限］であるCSG  IDを、手動選択可能候補から除外していた。
【００９８】
これに対して、本実施形態においては、両フェムトセル２０１，２０２が同じCSG  ID３０１をSystem  Informationに設定するため、図１１のように、一方のフェムトセル２０１のパラメータ：Cell  Prohibited  for  Manual  CSG  ID  Selectionは[制限]に設定されていても、他方のフェムトセル２０２のパラメータ：Cell  Prohibited  for  Manual  CSG  ID  Selectionは[許容]に設定されている可能性がある。
【００９９】
この場合、２つのフェムトセル２０１，２０２に在圏するUE４０１においては、手動選択可能候補からCSG  ID３０１を除外するべきではなく、フェムトセル２０２を選択可能とするために、CSG  ID３０１を手動選択可能候補として残すべきである。
【０１００】
そこで、本実施形態においては、UE４０１の動作をさらに工夫している。UE４０１の動作について、図１２Ａに示すフローチャートを使用して説明する。
【０１０１】
図１２Ａを参照すると、まず、受信処理部４００３は、ステップＦ１において、近隣セルのSystem  Informationを受信することで、近隣セルのCSG  IDを取得する。
【０１０２】
次に、セル選択処理部４００４は、ステップＦ２において、近隣セルのCSG  IDを、Allowed  CSG  List記憶メモリ４００５に含まれているCSG  IDと比較する。
【０１０３】
もし、近隣セルのCSG  IDがAllowed  CSG  List内に含まれる場合、セル選択処理部４００４は、ステップＦ３において、その近隣セルのCSG  IDがAllowed  CSG  List内に含まれることを表示部４００７に表示し、ステップＦ４において、その近隣セルのCSG  IDを選択候補リストに追加する。
【０１０４】
一方、近隣セルのCSG  IDがAllowed  CSG  List内に含まれない場合、セル選択処理部４００４は、ステップＦ５において、その近隣セルに報知されているSystem  Informationに設定されているパラメータ：Cell  Prohibited  for  Manual  CSG  ID  Selectionの値を認識する。もし、[許容]が設定されているかまたは値が設定されていない場合、セル選択処理部４００４は、ステップＦ４において、その近隣セルのCSG  IDを選択候補リストに追加し、[制限]が設定されている場合、セル選択処理部４００４は、ステップＦ６において、その近隣セルのCSG  IDを制限リストに追加する。
【０１０５】
上記処理は、全ての近隣セルごとに実施される。
【０１０６】
全ての近隣セルについて上記の処理が終了すると、セル選択処理部４００４は、ステップＦ７において、選択候補リストおよび制限リストからCSG  IDの手動選択可能候補を抽出し、その後、ステップＦ８において、CSG  IDの手動選択可能候補のリストを表示部４００７に表示する。なお、手動選択可能候補から除外されたCSG  IDは、非表示としてもよいし、選択できないCSG  IDとして表示してもよい。
【０１０７】
ここで、UE４０１の手動選択可能候補抽出動作について、図１２Ｂに示すフローチャートを使用して説明する。
【０１０８】
図１２Ｂを参照すると、セル選択処理部４００４は、ステップＧ１において、選択候補リストからCSG  IDを取得し、ステップＧ２において、そのCSG  IDを手動選択可能候補とする。
【０１０９】
また、セル選択処理部４００４は、ステップＧ３において、制限リストからCSG  IDを取得し、ステップＧ４において、そのCSG  IDを選択候補リスト内に含まれているCSG  IDと比較する。
【０１１０】
もし、制限リストから取得したCSG  IDが選択候補リスト内に含まれる場合、セル選択処理部４００４は、ステップＧ２において、そのCSG  IDを手動選択可能候補とする。
【０１１１】
一方、制限リストから取得したCSG  IDが選択候補リスト内に含まれない場合、セル選択処理部４００４は、ステップＧ５において、そのCSG  IDを手動選択可能候補から除外する。
【０１１２】
また、上記手順によって抽出されたＣＳＧ  ＩＤの手動選択可能候補から１つのＣＳＧ  ＩＤを選択するとき、ＵＥは当該ＣＳＧ  ＩＤが割り当てられている複数のセルのうち、パラメータ：Cell  Prohibited  for  Manual  CSG  ID  Selectionが[許容]に設定されているセルを選択する。
【０１１３】
上述したように本実施形態においては、複数のフェムトセルに同じCSG  IDを付与されているネットワーク環境において、いずれかのフェムトセルのパラメータ：Cell  Prohibited  for  Manual  CSG  ID  Selectionが[許容]に設定されていれば、他のフェムトセルのパラメータ：Cell  Prohibited  for  Manual  CSG  ID  Selectionが[制限]に設定されている場合であっても、UE４０１は、そのCSG  IDを手動選択可能候補として残す。そして手動選択手順によって選択されたＣＳＧ  ＩＤから適したセルを選択するとき、パラメータ：Cell  Prohibited  for  Manual  CSG  ID  Selectionが[許容]に設定されているセルを選択する事となる。
【０１１４】
したがって、CSG  IDの手動選択可能候補を増やすことができると共に、ＵＥがＣＳＧ  ＩＤの手動選択可能なＣｅｌｌを選択することが出来るという効果が得られる。
（第４の実施形態）
本実施形態においては、H(e)NB１０１，１０２が、UEに予め割り当てられたアクセスクラス毎に、System  Informationに含まれるCSG  IDをUEにて手動選択可能かどうかを示すパラメータを設定する。本明細書においては、このパラメータを、図１３に示すように、Access  Class  Barred  for  Manual  CSG  ID  Selectionとして、System  Informationに設定するものとする。
【０１１５】
この場合、UE４０１は、自身に予め割り当てられたアクセスクラスの上記パラメータの値を認識し、その値を基にCSG  IDを手動選択可能候補にするか否かを判断する。
【０１１６】
上述したように本実施形態においては、全てのUEではなく、特定のアクセスクラスに属する一部のUEに対して、フェムトセルが報知するSystem  Informationに含まれるCSG  IDを手動選択することを禁止することができる。
【０１１７】
したがって、複数のUEが手動選択により接続要求を行うことによって、H(e)NB１０１，１０２の負荷制御処理を段階的に実施することができるという効果が得られる。
（第５の実施形態）
本実施形態は、本発明をIMS（IP  Multimedia  Subsystem）-Femto  Architecture方式の無線通信ステムに適用したものである。
【０１１８】
図１４には、本実施形態の無線通信システムの構成が示されている。
【０１１９】
図１４を参照すると、本実施形態の無線通信システムは、H(e)NB１００と、CNGW（Core  Network  Gateway）２００と、UE４００と、を有している。
【０１２０】
なお、本実施形態は、図３の第２の実施形態と比較して、ネットワーク側のArchitectureのみが異なり、UE４００とネットワーク間でやり取りするメッセージは、第２の実施形態において、UE４０１とH(e)NB１０１，１０２間でやり取りするメッセージと同様である。
（第６の実施形態）
上記の実施形態においては、CSGに加入していないユーザの手動選択によって、UEが加入していないCSGのフェムトセルを選択することを禁止することを目的としていた。
【０１２１】
これに対して、本実施形態においては、Hybrid  Access  Modeで動作するH(e)NB、すなわち、CSGに加入しているユーザのUEもCSGに加入していないユーザのUEもフェムトセルへ接続することを可能とするH(e)NBの運用において、第２の実施形態と同様なパラメータ（Cell  Prohibited  for  non  CSG  UEs)や第４の実施形態と同様なパラメータ(Access  Class  Barred  for  non  CSG  UEs)を導入することを目的としている。
【０１２２】
H(e)NBが、上記パラメータをフェムトセルまたはUEに送信することによって、CSGに加入していないユーザが使用するUEの全てまたはその一部が、上記パラメータの値が[制限]に設定されたフェムトセルへアクセスすることを制限することができる。
（第７の実施形態）
上記の実施形態においては、H(e)NBからフェムトセルに報知するSystem  Informationに上記のパラメータを設定していた。
【０１２３】
これに対して、本実施形態においては、H(e)NBからUEへ送信する他のメッセージ、例えば、RRC  Connection  Setup  message,  Cell  Update  Confirm  message,  UTRAN  Mobility  Information  messageなどに上記のパラメータを設定する。
【０１２４】
この場合、UEは、上記メッセージと共に、上記パラメータを取得することができる。
（第８の実施形態）
上記の実施形態においては、ユーザの手動選択によってUEが選択するセルがフェムトセルである。
【０１２５】
これに対して、本実施形態においては、ユーザの手動選択によってUEが選択するセルがマクロセルとなっている。
【０１２６】
この場合、上記の実施形態と同様に、例えば、マクロセルにブロードキャストするSystem  Informationに、上記のパラメータを設定すればよい。
【０１２７】
なお、上記の第１〜第８の実施形態においては、フェムト、ＩＭＳなどの無線通信システムを例に挙げて説明した。しかし、本発明はこれらシステムに限られず、無線通信端末および基地局装置を有する他の無線通信システムにも適用できる。
【０１２８】
また、本発明のUE４０１、H(e)NB１０１，１０２にて行われる方法は、コンピュータに実行させるためのプログラムに適用してもよい。また、そのプログラムを記憶媒体に格納することも可能であり、ネットワークを介して外部に提供することも可能である。
【０１２９】
以上、本発明を好適な実施形態に基づき具体的に説明したが、本発明は上記のものに限定されるものではなく、その要旨を逸脱しない範囲で種々変更可能であることは言うまでもない。
【０１３０】
本出願は、２００９年４月２３日に出願された日本出願特願２００９−１０５６３０を基礎とする優先権を主張し、その開示の全てをここに取り込む。
【図１】
2010122839.tif 000003
【図２】
2010122839.tif 000004
【図３】
2010122839.tif 000005
【図４】
2010122839.tif 000006
【図５】
2010122839.tif 000007
【図６】
2010122839.tif 000008
【図７】
2010122839.tif 000009
【図８】
2010122839.tif 000010
【図９】
2010122839.tif 000011
【図１０】
2010122839.tif 000012
【図１１】
2010122839.tif 000013
【図１２Ａ】
2010122839.tif 000014
【図１２Ｂ】
2010122839.tif 000015
【図１３】
2010122839.tif 000016
【図１４】
2010122839.tif 000017
【国際調査報告】
2010122839.tif 000018
2010122839.tif 000019
2010122839.tif 000020